(57)【要約】【課題】イヤホンの本体部の耳介への装着安定性を向上させて高音質の聴取音声を得ることができるイヤーピースを提供する。【解決手段】筒状の基部(5a)と、基部(5a)の一端側に接続され他端側に向け基部(5a)を覆うよう傘状に延出した傘状部(5b)と、基部(5a)と傘状部(5b)とを連結し、基部(5a)に接続する位置(P1)と傘状部(5b)に接続する位置(P2)とが基部(5a)の軸線(CLb)まわりの一方向にずれて形成された壁部(5c)と、を有する。【選択図】図５
2015162713.tif 000002
【特許請求の範囲】
【請求項１】
筒状の基部と、
前記基部の一端側に接続され他端側に向け前記基部を覆うよう傘状に延出した傘状部と、
前記基部と前記傘状部とを連結し、前記基部に接続する位置と前記傘状部に接続する位置とが前記基部の軸線まわりの一方向にずれて形成された壁部と、
を有するイヤーピース。
【請求項２】
前記壁部は、前記軸線まわりに離隔して複数形成されていることを特徴とする請求項１記載のイヤーピース。
【請求項３】
前記軸線の方向から見たときに、前記壁部は曲線状に形成されていることを特徴とする請求項１又は請求項２記載のイヤーピース。
【請求項４】
本体部と、
前記本体部から突出する音筒部と、
前記本体部に収容された又は前記音筒部に取り付けられたスピーカユニットと、
前記音筒部に着脱自在に装着されたイヤーピースと、
を備え、
前記イヤーピースは、
前記音筒部に係合する貫通孔を有する筒状の基部と、
前記基部の一端側に接続され他端側に向け前記基部を覆うよう傘状に延出した傘状部と、
前記基部と前記傘状部とを連結し、前記基部に接続する位置と前記傘状部に接続する位置とが前記基部の軸線まわりの一方向にずれて形成された壁部と、
を有しているイヤホン。
【発明の詳細な説明】
【技術分野】
【０００１】
本発明は、イヤーピース及びそれを備えたイヤホンに係る。
【背景技術】
【０００２】
いわゆるカナル型と称されるイヤホンが知られている。カナル型イヤホンは、本体部と本体部から突出形成された筒状の音筒部とを有し、音筒部にイヤーピースが装着された状態で使用される。
詳しくは、カナル型イヤホンは、音筒部に装着されたイヤーピースを外耳道内に挿入し、本体部を耳介の内側に装着して使用される。
【０００３】
イヤーピースは、音筒部に外嵌される管状の基部と、基部の一端側を起点に他端側に向け海月の傘状に広がる薄肉の傘状部と、を備え、柔軟性を有する材料で形成されている。
【０００４】
カナル型イヤホンの使用状態において、外耳道内に挿入されたイヤーピースは、柔軟な傘状部が外耳道の内壁に密着し、外耳道内の密閉性を確保する。
【０００５】
一方、スピーカユニットは、本体部の内部、又は音筒部の先端に配置される。
特許文献１には、スピーカユニットが音筒部の先端に配置されたカナル型イヤホンの一例が記載されている。
【先行技術文献】
【特許文献】
【０００６】
【特許文献１】特開２０１３−２１９７２９号公報
【発明の概要】
【発明が解決しようとする課題】
【０００７】
カナル型のイヤホンは、イヤーピースの挿入によって確保される外耳道内部の密閉度合いが高い程、すなわち外部空間への音の漏出が少ない程、出力音を高品位に聴取できることが知られている。
【０００８】
外耳道内部の密閉度合いは、イヤーピースの外耳道内への挿入具合に依存し、その挿入具合は、イヤホンの本体部の耳介への装着性に大きく依存している。
すなわち、イヤホンの本体部の耳介への装着性が良好であれば、イヤーピースの挿入具合も良好となって外耳道内部の密閉度合いが向上し、高品質の出力音声が聴取できる。
このように、カナル型イヤホンの聴取音声の品質は、その本体部の装着性に大きく依存している。
【０００９】
例えば、本体部の耳介への装着安定性が十分でない場合、イヤホン全体を支持するための多くの負担は、イヤーピースと外耳道との摩擦力に委ねられる。
具体的には、本体部の質量が大きい場合、或いは本体部の全長（頭部に対して離接する方向の長さ）が長い場合などには、イヤーピースの外耳道への挿入が浅くなったり、外耳道から外れやすくなるなどの不具合が生じ、外耳道内の密閉性が崩れ聴取音声の品質に影響が出る虞がある。
【００１０】
特に、近年は、再生音質自体を向上させるため、使用するスピーカユニットの大口径化や複数化も進んでいる。すなわち、本体部が大型化したり、質量が増加する傾向にある。
そのため、カナル型イヤホンに対しては、本体部の耳介への装着安定性を高めてより高音質の聴取音声が得られるような工夫が望まれている。
【００１１】
そこで、本発明が解決しようとする課題は、イヤホン本体部の耳介への装着安定性を向上させて高音質の聴取音声を得ることができるイヤーピース及びそれを備えたイヤホンを提供することにある。
【課題を解決するための手段】
【００１２】
上記の課題を解決するために、本発明は次の構成を有する。１）  筒状の基部(5a)と、
前記基部(5a)の一端側に接続され他端側に向け前記基部(5a)を覆うよう傘状に延出した傘状部(5b)と、
前記基部(5a)と前記傘状部(5b)とを連結し、前記基部(5a)に接続する位置(P1)と前記傘状部(5b)に接続する位置(P2)とが前記基部(5a)の軸線(CLb)まわりの一方向にずれて形成された壁部(5c)と、
を有するイヤーピース(5)である。
２）  本体部(1)と、
前記本体部(1)から突出する音筒部(1a)と、
前記本体部(1)に収容された又は前記音筒部(1a)に取り付けられたスピーカユニット(SP)と、
前記音筒部(1a)に着脱自在に装着されたイヤーピース(5)と、
を備え、
前記イヤーピース(5)は、
前記音筒部(1a)に係合する貫通孔(5a3)を有する筒状の基部(5a)と、
前記基部(5a)の一端側に接続され他端側に向け前記基部(5a)を覆うよう傘状に延出した傘状部(5b)と、
前記基部(5a)と前記傘状部(5b)とを連結し、前記基部(5a)に接続する位置(P1)と前記傘状部(5b)に接続する位置(P2)とが前記基部(5a)の軸線(CLb)まわりの一方向にずれて形成された壁部(5c)と、
を有しているイヤホン(51)である。
【発明の効果】
【００１３】
本発明によれば、イヤホン本体部の耳介への装着安定性が向上して高音質の聴取音声が得られる、という効果を奏する。
【図面の簡単な説明】
【００１４】
【図１】本発明のイヤーピースの実施例であるイヤーピース５を備えたイヤホン５１を説明するための斜視図である。
【図２】イヤホン５１の構造を説明するための縦断面図である。
【図３】イヤホン５１を左耳に装着した状態を説明するための図である。
【図４】イヤーピース５を説明するための斜視図である。
【図５】イヤーピース５を説明するための後面図である。
【図６】イヤーピース５を説明するための縦断面図である。
【図７】イヤホン５１の左耳への装着過程について説明するための一部断面化した斜視図である。
【図８】イヤーピース５の縮径変形を説明するための模式図である。
【図９】イヤーピース５の外耳道挿入時の縮径変形を説明するための模式図である。
【図１０】イヤーピース５の変形例１であるイヤーピース５Ａを説明するための後面図である。
【図１１】イヤーピース５Ａを説明するための斜視図である。
【図１２】イヤーピース５の変形例２であるイヤーピース５Ｂを説明するための斜視図である。
【図１３】イヤーピース５を取り付けた別のイヤホン５２を左耳に装着した状態を説明するための図である。
【図１４】イヤーピース５を取り付けたさらに別のイヤホン５３を左耳に装着した状態を説明するための図である。
【発明を実施するための形態】
【００１５】
本発明の実施の形態に係るイヤーピース及びそれを備えたイヤホンを、好ましい実施例及び変形例により図１〜図１４を参照して説明する。
以下の説明において、上下左右前後の各方向を図２に示される矢印の方向に規定している。この方向は、使用状態の姿勢における方向等とは関係がなく、理解容易のため便宜的に規定したものである。
【００１６】
（実施例）
図１及び図２を参照して、実施例のイヤホン５１の構成を説明する。イヤホン５１は、左右いずれの耳にも装着可能とされている。以下、左耳に装着した場合について説明する。
図１は、イヤホン５１の後方斜め左上方向から見た外観斜視図であり、図２は、イヤホン５１を、前後上下面で切断した縦断面図である。
【００１７】
イヤホン５１は、イヤホン本体５１Ｈにイヤーピース５が装着されたものである。
イヤホン本体５１Ｈは、筐体である本体部１と、本体部１から前方に向け突出形成された筒状の音筒部１ａと、本体部１における前側下部から下方に延出し、さらに後方に折れ曲がって形成されたブッシング２と、本体部１の内部からブッシング２の内部を通り、ブッシング２の後方下部から下方に引き出されたコード３と、を有している。
音筒部１ａにはスピーカユニット（ＳＰ）が取り付けられている。
詳しくは、音筒部１ａの先端部に、振動板ＳＰａを有するスピーカユニットＳＰが配置されている。スピーカユニットＳＰには、コード３の一端側が接続されている。
音筒部１ａには、着脱自在にイヤーピース５が装着される。
【００１８】
図３は、イヤホン５１を左耳に装着した状態を説明するための図であり、頭部の左側面Ｈａにおける耳付近の側面図に相当する。
【００１９】
イヤホン５１は、図３に示される態様で、左耳に装着されている。例えば、音筒部１ａの中心軸線ＣＬａが、頭部の左側面Ｈａに対し、ほぼ直交又は直交に近い角度となる姿勢で装着される。
詳しくは、イヤーピース５は、その先端側が、外耳道Ｅａ（図２では、その出口の中心位置ＥａＣのみ便宜的に中心軸線ＣＬａ位置と一致させて記載）の内部に挿入される。また、イヤホン本体５１Ｈは、ブッシング２が、耳介Ｅの耳珠Ｅｂと対耳珠Ｅｃの間に挟まれると共にコード３が珠間切痕Ｅｄから下方に引き出される姿勢で装着される。
この装着姿勢は、ブッシング２が耳珠Ｅｂと対耳珠Ｅｃとの間に位置することから、本体部が単に耳介内に収容される他のイヤホンの装着姿勢と比較して、より安定した姿勢となっている。
【００２０】
次に、イヤーピース５について、図４〜図６を参照して説明する。
図４は、イヤーピース５を斜め後方から見た斜視図である。図５は、後面図、図６は、図５におけるＳ１−Ｓ１位置での断面図である。
【００２１】
イヤーピース５は、中心軸線ＣＬｂを中心軸とする略管状の基部５ａと、基部５ａの一端側部位である前端部５ａ１に連結し、基部５ａの他端側部位である後端部５ａ２側に向かって基部５ａを外方から覆うように海月の傘状に延出した傘状部５ｂと、を有する。
【００２２】
傘状部５ｂの肉厚は、基部５ａの肉厚よりも薄く形成されている。
すなわち、基部５ａよりも傘状部５ｂの方が、基本的に低剛性とされている。
基部５ａは、前後方向に貫通する貫通孔５ａ３を有している。
傘状部５ｂにおける最大径となる位置は、前端部５ａ１と後端部５ａ２との間にある。この最大径は、イヤーピース５が挿入される外耳道Ｅａの内径よりも十分に大きく設定されている。
イヤーピース５は、柔軟性を有する材料で形成されている。例えば、エラストマやゴムである。ゴムの例はシリコーンゴムである。
【００２３】
基部５ａの後端部５ａ２側には、中心軸線ＣＬｂに向かって突出する内フランジ部５ｆが形成されている。
内フランジ部５ｆは、音筒部１ａにおける周溝１ａ１（図２参照）に係合する係合部である。内フランジ部５ｆは、径方向内方に張り出して形成された縮径部分である。内フランジ部５ｆの内径は、周溝１ａ１の底面の外径に対し、同じか僅かに小さく設定されている。
これにより、イヤーピース５は、音筒部１ａに対し、手で取り外し可能な範囲で強固に装着される。さらに、イヤーピース５と音筒部１ａとの間に生じる摩擦力も加わり、少なくとも中心軸線ＣＬｂまわりの回動は、通常の使用状態において実質的に規制される。
この回動規制をより良好にするため、基部５ａを音筒部１ａの素材（通常樹脂）に対して摩擦係数の高い素材で形成する、基部５ａの音筒部１ａと接する範囲に梨地などの表面加工を施す、音筒部１ａとの装着を回動を規制するリブと窪みとの組み合わせの凹凸係合とする、などの工夫を適用してよい。
【００２４】
基部５ａの外周面５ａ４と、傘状部５ｂの内面５ｂ１とは、壁部５ｃで連結されている。壁部５ｃは、一つであっても周方向に離隔して設けられた複数であってもよい。以下、複数設けた例を説明する。
壁部５ｃは、図５に示されるように、中心軸線ＣＬｂから離れるに従って、中心軸線ＣＬｂを中心とする一方向回りにずれていくように形成されている。
すなわち、壁部５ｃは、径方向に対し傾斜して形成されている。
傾斜方向は、例えば時計回り方向である。
壁部５ｃの形状は、例えば、図５に示されるように、中心軸線ＣＬｂ方向である後面視において、概ね渦巻き状とされる。この後面視形状は、渦巻き状に限定されず、曲線状、或いは直線状でもよい。
壁部５ｃの前後方向の長さ（延在範囲）は、基部５ａと傘状部５ｂとが対向して存在する範囲内であれば限定されないが、傘状部５ｂの最大外径となる位置を含むように形成されているのが望ましい。
また、成形が可能であれば、前後方向の一部に形成されていてもよい。
【００２５】
壁部５ｃについてさらに換言するならば、図５において、壁部５ｃが、基部５ａの外周面５ａ４に接続する位置としての点Ｐ１（便宜的に壁部５ｃの幅方向中点とする）と中心軸線ＣＬｂの位置ＣＴとをつなぐ直線を直線ＬＮ１とし、傘状部５ｂの内面５ｂ１に接続する位置としての点Ｐ２（便宜的に壁部５ｃの幅方向中点とする）と位置ＣＴとをつなぐ直線を直線ＬＮ２としたときに、直線ＬＮ１と直線ＬＮ２とが一致しないようになっている。
すなわち、直線ＬＮ１に対する直線ＬＮ２のなす劣角である角度θが、θ≠０°とされている。ここでは、角度θは、イヤーピース５の自由状態での初期値として＋θａとされている（正負は、図５における時計回りを＋、反時計回りを−とする）。
【００２６】
複数の壁部５ｃは、その傾斜方向が同じ（角度θの正負が同じ）になるように形成されている。また、複数の壁部５ｃは、初期角度である角度θａの値が等しくなるよう形成されていることが望ましい。
イヤーピース５において、複数の壁部５ｃは、例えば、周方向に等角度間隔で形成される。例として、図５に示されるように、６０°間隔で六つの壁部５ｃが形成される。
壁部５ｃの傾斜角度αは、点Ｐ１と点Ｐ２とを繋ぐ直線ＬＮ３と径方向の線（例えば直線ＬＮ２）とのなす劣角で規定する。
イヤーピース５が自由状態での傾斜角度αの値をαａとする。
【００２７】
イヤーピース５は、柔軟性を有しているので、音筒部１ａに対し、指で変形させながら内フランジ部５ｆを音筒部１ａの周溝１ａ１に嵌め込むことで装着することができる。抜去も、変形させながら内フランジ部５ｆを周溝１ａ１から外すことで可能である。
イヤーピース５が音筒部１ａに装着された状態で、音筒部１ａの中心軸線ＣＬａとイヤーピース５の中心軸線ＣＬｂとは、通常、一致するように各部位の形状及び寸法が設定される。
【００２８】
次に、イヤホン５１を耳へ装着する過程を、図７及び図８を主に参照して説明する。
図７は、イヤホン５１の耳への装着において、イヤーピース５を外耳道Ｅａ内にある程度挿入した挿入途中の時点での状態を示す斜視図である。また、図７では、理解容易のため、イヤホン５１の一部を切断して示している。
図８は、自由状態で傘状部５ｂが縮径変形した状態を示す模式図であり、図５に対応した図である。
【００２９】
図７に示されるように、使用者は、イヤホン５１の本体部１を指Ｆで摘み、外耳道Ｅａに対し、白抜きの矢印ＤＲ１の方向に挿入する。
イヤーピース５の傘状部５ｂは、その最大径が、外耳道Ｅａの内径よりも大きく設定されている。また、上述のように傘状部５ｂは容易に変形可能である。
これにより、イヤーピース５は、外耳道Ｅａ内への挿入により、傘状部５ｂが外形が縮まる方向である矢印ＤＲ２方向に縮径変形する。
【００３０】
図８に示されるように、イヤーピース５は、自由状態において、傘状部５ｂの縮径に伴い壁部５ｃが変形する。
詳しくは、壁部５ｃの傾斜角度αが、初期値のαａから増加してαｂとなり、かつ、その傾斜角度αの増加を許容するため、基部５ａが傘状部５ｂに対し相対的に矢印ＤＲ３方向に回動する。
この回動に伴い、角度θも、初期値の＋θａから＋方向に増加して＋θｂとなる。
【００３１】
この自由状態に対し、実際の外耳道Ｅａへの挿入では、傘状部５ｂは回動せずに概ね真っ直ぐ押し込まれる。
これは、傘状部５ｂの外面と外耳道Ｅａの内壁との間に高い摩擦力が生じること、及び外耳道Ｅａの横断面形状が真円ではなく径方向に凹凸があること、などにより、回動が規制されるためである。
一方、本体部１も、指で挟持されているために回動せずそのままの姿勢で真っ直ぐ挿入される。
【００３２】
そのため、図９に示されるように、傘状部５ｂが縮径しても、角度θは、値θａで維持されたまま点Ｐ２の位置が位置ＣＴに接近する。
これにより、壁部５ｃは、壁部５ｃｃで示されるような、不規則な（例えばＳ字状に）変形をする。この変形は点Ｐ１と点Ｐ２との間の距離が縮まることでの圧縮的変形と言える。
壁部５ｃには、この変形の反発力が生じ、傘状部５ｂ及び基部５ａに対し、図８の矢印ＤＲ３方向（反時計回り方向）に相対的に回動させるように付勢する。
図７に示されるような本体部１を指で摘んで挿入する過程においては、この付勢状態が継続する。
【００３３】
挿入が進行し、ブッシング２が耳珠Ｅｂと対耳珠Ｅｃとの間の収まり、本体部１が耳介に収まる位置に達すると、使用者は、指Ｆを本体部１から離して装着動作が終了する。
本体部１から指Ｆが離れると、傘状部５ｂの回動規制は継続したまま、本体部１の回動規制が解除される。
そのため、基部５ａは、壁部５ｃに生じた反発力によって傘状部５ｂに対し矢印ＤＲ３の方向に回動しようとする。
【００３４】
この矢印ＤＲ３は、後面視で反時計回り方向の回動であるから、図３に示されるように、基部５ａが装着された音筒部１ａを含むイヤホン本体５１Ｈは、ブッシング２において対耳珠Ｅｃを力Ｆ１で積極的に付勢する。力Ｆ１は、上述のように、壁部５ｃの反発力に起因する付勢力である。
この付勢により、本体部１は、ブッシング２が単に耳珠Ｅｂと対耳珠Ｅｃとの間に収まるだけで両部位を積極的に付勢しない装着状態よりも、はるかに安定した状態で装着される。
本体部１の装着安定性が高まることで、イヤーピース５の外耳道内の挿入状態も安定し、外耳道内の密閉性が向上するので高音質の音声が聴取できる。
【００３５】
上述から明らかなように、ブッシング２の時計回りか反時計回りかの付勢方向は、壁部５ｃの傾斜方向に依存する。
すなわち、壁部５ｃの傾斜方向が図５において反時計回り方向であると、矢印ＤＲ３とは逆回り方向となり、ブッシング２は、耳珠Ｅｂを付勢するようになる。イヤホン５１の場合は、付勢方向が変わっても得られる効果は同じである。
【００３６】
壁部５ｃは、一つであってもよいが、周方向にバランスよく反発力を発生させるために、周方向に離隔して複数設けるのが好ましい。また、複数の壁部５ｃは、周方向に等角度間隔で設けると、反発力の周方向分布が均一化されるのでよりよい。
【００３７】
（変形例１）
図１０及び図１１には、イヤーピース５の変形例１であるイヤーピース５Ａが示されている。図１０は、イヤーピース５Ａの後面図であり、図１１は、斜め後方から見た斜視図である。
【００３８】
イヤーピース５Ａは、イヤーピース５に対し、傘状部５Ａｂの外面に、径方向外方に突出する凸状部５Ａｇを、周方向に離隔して複数設けたものである。凸状部５Ａｇ以外の部位はイヤーピース５と同じであり、便宜的に各部位の符号は５を５Ａとしてある。
【００３９】
凸状部５Ａｇにおける肉厚は、他の部位の肉厚と概ね同等とされ、凸状部５Ａｇは、壁部５Ａｃが傘状部５Ａｂに接続する部位の近傍に形成されている。
凸状部５Ａｇは、前後方向（図１０における紙面直交方向）において、少なくとも傘状部５Ａｂの最大外径となる位置に設けられている。
径方向外方に突出する凸状部５Ａｇを設けたことにより、イヤーピース５Ａを外耳道Ｅａ内に挿入した際に、傘状部５Ａｂの凸状部５Ａｇ近傍が良好に縮径変形する。
そのため、壁部５Ａｃの反発力が効率よく生じ相対回動のための付勢力として発揮されるので、イヤーピース５Ａを装着したイヤホン５１の耳介への装着安定性がより良好となる。
【００４０】
（変形例２）
図１２には、イヤーピース５の変形例２であるイヤーピース５Ｂが示されている。図１２は、図１１に対応する図であり、斜め後方から見た斜視図である。
【００４１】
イヤーピース５Ｂは、イヤーピース５Ａに対し、傘状部５ｂの外周面に、径方向外方に突出して凸状部５Ａｇを周方向に連結する周壁部５Ｂｈを設けたものである。周壁部５Ｂｈ以外の部位はイヤーピース５Ａと同じであり、便宜的に各部位の符号は５Ａを５Ｂとしてある。
【００４２】
周壁部５Ｂｈにおける肉厚は、他の部位の肉厚と概ね同等か薄く形成される。周壁部５Ｂｈは、前後方向において傘状部５Ｂｂの最大外形となる部位に形成するとよい。
周方向に突出する周壁部５Ｂｈを設けたことにより、イヤーピース５Ｂを外耳道Ｅａ内に挿入した際の、傘状部５Ｂｂと外耳道Ｅａの内面との密着性が、イヤーピース５Ａよりも向上する。
すなわち、イヤーピース５Ｂは、凸状部５Ｂｇを有しつつ外耳道Ｅａに装着した状態での外耳道Ｅａ内の密閉性がより向上する。
そのため、変形例１に対し、聴取再生音質のさらなる高音質化が図れる。
【００４３】
（他の変形例）
イヤーピース５，５Ａ，５Ｂは、装着状態で耳珠Ｅｂと対耳珠Ｅｃとの間に位置するブッシング２を有するイヤホン本体５１Ｈ以外に、種々のイヤホン本体に装着してよい。
例えば、以下に説明するイヤホン本体５２Ｈ及びイヤホン本体５３Ｈである。図１３は、イヤホン本体５２Ｈにイヤーピース５を装着したイヤホン５２を左耳に装着した状態を示している。また、図１４は、イヤホン本体５３Ｈにイヤーピース５を装着したイヤホン５３を左耳に装着した状態を示している。
【００４４】
イヤホン５２は、イヤホン本体５２Ｈの本体部２１に、耳甲介腔Ｅｆに収められると共に先端が対耳輪Ｅｇの内壁Ｅｇ１に食い込むように形成された張り出し部２１ａを有している。
イヤホン５３も、イヤホン本体５３Ｈの本体部３１に、耳甲介腔Ｅｆに収められると共に先端が対耳輪Ｅｇの内壁Ｅｇ１に食い込むように形成された張り出し部３１ａを有している。
【００４５】
イヤホン５２，５３では、上述したイヤーピース５，５Ａ，５Ｂにより発揮される、本体部５２Ｈ，５３Ｈを中心軸線ＣＬｂまわりに回動させようとする付勢力により、張り出し部２１ａ及び張り出し部３１ａが食い込んでいる内壁Ｅｇ１を図１２及び図１３の上方又は下方に付勢しさらに食い込ませようとする。
これにより、本体部２１，３１の装着安定性が高まり、イヤーピース５の外耳道内の挿入状態も安定し、外耳道内の密閉性が向上するので高音質の音声が聴取できる。
【００４６】
本発明の実施例は、上述した構成に限定されるものではなく、本発明の要旨を逸脱しない範囲においてさらに別の変形例としてもよい。
【００４７】
例えばイヤーピース５において、壁部５ｃの傾斜方向は、イヤーピース５を装着したイヤホンの本体部の耳介Ｅへの装着が、より安定する方向に付勢するように、設定するとよい。
【００４８】
壁部５ｃの傾斜方向が同じイヤーピース５を、左耳用イヤホンと右耳用イヤホンとの両方に装着すると、耳介に対して回動付勢する方向が逆となる。
そこで、耳介Ｅに対し同じ回動方向で付勢したい場合は、壁部５ｃの傾斜方向が逆（右回り傾斜と左回り傾斜）となる左耳用のイヤーピースと右耳用のイヤーピースとを用意し、それぞれ左耳用イヤホン本体と右耳用イヤホン本体とに装着するとよい。
【００４９】
スピーカユニットＳＰが取り付けられる部位（位置）は、上述のイヤホン５１のように音筒部１ａの先端に限定されない。音筒部１ａの内部、或いは本体部１の内部に収容されて取り付けられていてもよい。
本発明のイヤーピース５によれば、本体部１の内部に収容されたスピーカユニットＳＰが大型であったり、複数のスピーカユニットＳＰが収容されていても、イヤーピース５の壁部５ｃの反発力によって本体部１が耳介Ｅを付勢するので、装着姿勢が安定する。
【００５０】
イヤーピース５の壁部５ｃの形状は限定されない。幅は延在方向に沿って一定でもよく、変化していてもよい。
また、図５に示されるように壁部５ｃの幅方向の中点を繋いだ中心線ＣＬｃは、径方向外方を凸とする曲線となるものに限定されない。径方向内方を凸とする曲線であってもよく、直線状（この場合、直線ＬＮ３と合致）であってもよく、これらを組み合わせたＳ字状であってもよい。
壁部５ｃの数は限定されない。壁部５ｃの配置角度間隔も限定されず、一定間隔でなくてもよい。
また、壁部５ｃは、多色成形により、基部５ａ又は傘状部５ｂと同一系統で異なる特性を有する材質であってもよく、異なる系統の材質で形成してもよい。
【００５１】
実施例で説明したイヤホン５１のブッシング２、並びに、変形例で説明したイヤホン５２の張り出し部２１ａ及びイヤホン５３の張り出し部３１ａは、イヤホン５１〜５３のイヤホン本体５１Ｈ〜５３Ｈを、外耳道Ｅａを概ね中心として少なくとも一方向に回動した際に、耳介Ｅのいずれかの部位がその回動を規制するように当接することで、逆にその部位を付勢する回動付勢部として機能する。
一般化して説明すると、回動付勢部は、イヤホンの耳介への装着状態において、その本体部を、外耳道を概ね中心とする時計回り又は反時計回りのいずれかに回動させた際に、耳介に付勢する形状に形成されている。
従って、そのイヤホン本体に装着するイヤーピースは、壁部の傾斜方向を、回動付勢部が耳介を付勢するための弾性反発力が生じる方向に設定されているものとすればよい。
【符号の説明】
【００５２】
１，２１，３１  本体部
１ａ  音筒部、    １ａ１  周溝
２  ブッシング
３  コード
５，５Ａ，５Ｂ  イヤーピース
５ａ  基部、    ５ａ１  前端部、    ５ａ２  後端部、    ５ａ３  貫通孔
５ａ４  外周面、    ５ｂ，５Ａｂ，５Ｂｂ  傘状部、    ５ｂ１  内面
５ｃ，５ｃｃ，５Ａｃ  壁部、    ５ｆ  内フランジ部
５Ａｇ，５Ｂｇ  凸状部、    ５Ｂｈ  周壁部
２１ａ，３１ａ  張り出し部
５１〜５３  イヤホン、    ５１Ｈ〜５３Ｈ  イヤホン本体
ＣＬａ，ＣＬｂ  中心軸線、    ＣＬｃ  中心線、    ＣＴ  位置
Ｅ  耳介
Ｅａ  外耳道、    ＥａＣ  （外耳道出口の）中心位置、    Ｅｂ  耳珠
Ｅｃ  対耳珠、    Ｅｄ  珠間切痕、    Ｅｆ  耳甲介腔、    Ｅｇ  対耳輪
Ｅｇ１  内壁
Ｆ  指、    Ｆ１  力
Ｈａ  （頭部の）左側面
ＬＮ１〜ＬＮ３  直線
Ｐ１，Ｐ２  点（位置）
ＳＰ  スピーカユニット、    ＳＰａ  振動板
θ  角度、    α  傾斜角度
【図１】
2015162713.tif 000003
【図２】
2015162713.tif 000004
【図３】
2015162713.tif 000005
【図４】
2015162713.tif 000006
【図５】
2015162713.tif 000007
【図６】
2015162713.tif 000008
【図７】
2015162713.tif 000009
【図８】
2015162713.tif 000010
【図９】
2015162713.tif 000011
【図１０】
2015162713.tif 000012
【図１１】
2015162713.tif 000013
【図１２】
2015162713.tif 000014
【図１３】
2015162713.tif 000015
【図１４】
2015162713.tif 000016